(57)【要約】【課題】  殺菌可能なシステムおよび装置が、提供される。【解決手段】  一例においてこの装置が、外部に面した表面を備えるタッチスクリーン、タッチスクリーンに動作可能なように連結される少なくとも１台のプロセッサおよび少なくとも１台のプロセッサに連結されるメモリを含む。この装置は、また、この少なくとも１台のプロセッサおよびメモリを封入し、ユーザー入力を受け取るために外部に面した表面の入力部分を外側に露出されることを可能にすると共に、タッチスクリーンを部分的に封入し、かつ、外部に面した表面周辺で斜角をつけられたフレームを形成するために入力部分の方へテーパをつけ、この斜角をつけられたフレームが、外部に面した表面の覆われた部分によって少なくとも１つの防水シールを形成するように構成されるケーシングを含むことができる。【選択図】  図３
2013522899.tif 000002
【特許請求の範囲】
【請求項１】
機器であって、
外部に面した表面を備えるタッチスクリーンと、
前記タッチスクリーンに動作可能なように連結される少なくとも１台のプロセッサと、
データを蓄積するために前記少なくとも１台のプロセッサに連結されるメモリと、
前記少なくとも１台のプロセッサおよび前記メモリを封入し、
ユーザー入力を受け取るために前記外部に面した表面の入力部分を外側に露出されることを可能にすると共に、前記タッチスクリーンを部分的に封入し、かつ、
前記外部に面した表面周辺で斜角をつけられたフレームを形成するために前記入力部分の方へテーパをつけ、前記斜角をつけられたフレームが、前記外部に面した表面の覆われた部分によって少なくとも１つの防水シールを形成するように構成されるケーシングと、を備える機器。
【請求項２】
前記斜角をつけられたフレームと前記外部に面した表面の前記覆われた部分との間に少なくとも１枚のガスケットを更に備える請求項１に記載の機器。
【請求項３】
少なくとも１個のコネクタを収容するためのコネクタインタフェースを更に備える請求項１に記載の機器。
【請求項４】
前記コネクタインタフェースが、前記少なくとも１個のコネクタを封入するように構成される水および作用物質耐性シュラウドを備えた水および作用物質耐性シールを形成することを特徴とする請求項３に記載の機器。
【請求項５】
前記水および作用物質耐性シュラウドが、前記タッチスクリーンの前記入力部分がユーザー定義の位置に配置されることを可能にする関節接合アームの一部分であることを特徴とする請求項４に記載の機器。
【請求項６】
前記ケーシングが、前記ケーシングの第１の部分から第２の部分に熱を伝達するヒートシンクとして機能することによって前記熱を放散させるように更に構成されることを特徴とする請求項１に記載の機器。
【請求項７】
（ａ）前記少なくとも１台のプロセッサおよび（ｂ）前記メモリのうち少なくとも１つが前記ケーシングへの前記熱の伝達を容易にするために非導電材料によって前記ケーシングに接続されることを特徴とする請求項６に記載の機器。
【請求項８】
液体冷却モジュール、ファン、閉じた冷却装置モジュールおよび噴霧冷却モジュールのうち少なくとも１台を更に備える請求項１に記載の機器。
【請求項９】
システムであって、
外部に面した表面を備えるタッチスクリーン装置と、
ユーザー入力を受け取るために前記外部に面した表面の入力部分を外側に露出されることを可能にすると共に、前記タッチスクリーン装置を部分的に封入し、かつ、
前記外部に面した表面周辺で少なくとも１つの斜角をつけられたエッジを形成するために前記入力部分の方へテーパをつけ、前記少なくとも１つの斜角をつけられたエッジが、前記外部に面した表面の覆われた部分によって少なくとも１つの防水シールを形成するように構成されるケーシングと、を備えるシステム。
【請求項１０】
前記少なくとも１つの斜角をつけられたエッジと前記外部に面した表面の前記覆われた部分との間に少なくとも１枚のガスケットを更に備える請求項９に記載のシステム。
【請求項１１】
少なくとも１個のコネクタを収容するためのコネクタインタフェースを更に備え、前記コネクタインタフェースが前記少なくとも１個のコネクタを封入するように構成される水および作用物質耐性シュラウドを備えた、水および作用物質耐性シールを形成することを特徴とする請求項９に記載のシステム。
【請求項１２】
前記水および作用物質耐性シュラウドが、前記タッチスクリーンの前記入力部分がユーザー定義の位置に配置されることを可能にする関節接合アームの一部分であることを特徴とする請求項１１に記載のシステム。
【請求項１３】
更に前記ケーシングが、前記ケーシングの第１の部分から第２の部分まで熱を伝達するヒートシンクとして機能することによって前記熱を放散させるように更に構成される、請求項９に記載のシステム。
【請求項１４】
前記装置が前記ケーシングへの前記熱の伝達を容易にするために非導電材料によって前記ケーシングに接続されることを特徴とする請求項１３に記載のシステム。
【請求項１５】
液体冷却モジュール、ファン、閉じた冷却装置モジュールおよび噴霧冷却モジュールのうち少なくとも１台を更に備える請求項９に記載のシステム。
【請求項１６】
機器であって、
ユーザー入力を受け取るためにタッチスクリーン装置の入力部分を外側に露出されることを可能にすると共に、前記装置を部分的に封入するように構成される第１の部分と、
前記外部に面した表面周辺で少なくとも１つの斜角をつけられたエッジを形成するために前記入力部分の方へテーパをつけ、前記少なくとも１つの斜角をつけられたエッジが、前記装置の覆われた部分によって少なくとも１つの防水シールを形成するように構成される第２の部分と、を備える機器。
【請求項１７】
少なくとも１個のコネクタを収容するためのコネクタインタフェースを更に備え、前記コネクタインタフェースが前記少なくとも１個のコネクタを封入するように構成される水および作用物質耐性シュラウドを備えた、水および作用物質耐性シールを形成することを特徴とする請求項１６に記載の機器。
【請求項１８】
前記水および作用物質耐性シュラウドが、前記タッチスクリーンの前記入力部分がユーザー定義の位置に配置されることを可能にする関節接合アームの一部分であることを特徴とする請求項１７に記載の機器。
【請求項１９】
更に前記機器が、ヒートシンクとして機能することによって熱を放散させるように構成される、請求項１６に記載の機器。
【請求項２０】
前記装置が前記ケーシングへの前記熱の伝達を容易にするために非導電材料によって前記ケーシングに接続されることを特徴とする請求項１６に記載の機器。
【発明の詳細な説明】
【技術分野】
【０００１】
本出願は、一般にコンピュータに、およびより詳しくは殺菌した環境に用いられる装置を構成するための技法に関する。
【背景技術】
【０００２】
病院外科手術の危篤治療および一般病室のような殺菌した環境で使用されることができるコンピューターシステムが、長い間必要であった。水中もしくは防水可能なコンピュータまたは軍事等級コンピューターシステムのような他の産業からのコンピューターシステムの適応は、殺菌した環境での医療専門家の必要性を満たす限られた用途に使用された。
【０００３】
防水コンピュータの使用は、漂白剤のような強力な洗浄剤による強力な洗浄に耐えるコンピュータ能力には対応しない。また、コンピュータの一般的な設計は、効果的な洗浄および殺菌消毒を妨げるコンピュータケーシングおよび周辺装置におけるクラックおよび割れ目を生成し、疾患および感染がしばしば患者に極めて近傍にある機器内に増殖することを可能にし、したがって少なからぬ健康リスクを生成する。したがって、殺菌消毒可能なコンピュータおよび周辺システムを構築することによってこれらの問題に対処することが、望ましい。
【発明の概要】
【課題を解決するための手段】
【０００４】
以下は、この種の実施態様の基本的理解を提供するために１つ以上の実施態様についての簡略要約を提示する。この要約は、全ての意図された実施態様の詳細にわたる概要ではなく、かつ全ての実施態様の鍵となるまたは決定的な要素を識別しもせず、任意のまたは全ての実施態様の有効範囲を詳細に描写しもしないことを意図される。その唯一の目的は、後で提示されるより詳細な説明に対する序文として簡略形式で１つ以上の実施態様のいくつかの概念を提示することである。
【０００５】
１つ以上の実施態様およびそれの対応する開示に従って、種々の態様が、殺菌した環境に用いられる機器と関連して記載される。例えば、機器は外部に面した表面を備えるタッチスクリーン、タッチスクリーンに動作可能なように連結される少なくとも１台のプロセッサおよびデータを蓄積するためにこの少なくとも１台のプロセッサに連結されるメモリを含むことができる。この機器は、少なくとも１台のプロセッサおよびメモリを封入し、ユーザー入力を受け取るために外部に面した表面の入力部分を外側に露出されることを可能にすると共に、タッチスクリーンを部分的に封入し、かつ、外部に面した表面周辺で斜角をつけられたフレームを形成するために入力部分の方へテーパをつけ、この斜角をつけられたフレームが、外部に面した表面の覆われた部分によって少なくとも１つの防水シールを形成するように構成されるケーシングを含むことができる。関連の態様において、このケーシングはケーシングの第１の部分から第２の部分に熱を伝達するヒートシンクとして機能することによって熱を放散させるように構成されることができる。
【０００６】
１つ以上の実施態様およびそれの対応する開示に従って、殺菌した環境のためのシステムが、提供される。例えば、このシステムは、外部に面した表面を備えるタッチスクリーン装置、同じく、ケーシングを含むことができる。ケーシングは、ユーザー入力を受け取るために外部に面した表面の入力部分を外側に露出されることを可能にすると共に、タッチスクリーン装置を部分的に封入し、かつ、外部に面した表面周辺で少なくとも１つの斜角をつけられたエッジを形成するために入力部分の方へテーパをつけ、この少なくとも１つの斜角をつけられたエッジが、外部に面した表面の覆われた部分によって少なくとも１つの防水シールを形成するように構成されることができる。
【０００７】
１つ以上の実施態様およびそれの対応する開示に従って、ユーザー入力を受け取るために装置の入力部分を外側に露出されることを可能にすると共に、タッチスクリーン装置を部分的に封入するように構成される第１の部分を含むことができるタッチ装置などのためのケーシングまたはハウジングが、提供される。このケーシングは、外部に面した表面周辺で少なくとも１つの斜角をつけられたエッジを形成するために入力部分の方へテーパをつけ、この少なくとも１つの斜角をつけられたエッジが、装置の覆われた部分によって少なくとも１つの防水シールを形成するように構成される第２の部分を更に含むことができる。
【０００８】
前述のおよび関連の結末の達成に対して、１つ以上の態様が以下に完全に記載される特徴を備えてかつ特に請求項で指摘される。以下の記述および添付の図面は、特定の例証となる態様を詳細に記載し、かつ、態様の原理が使用されることができる種々の方法のうち２、３のみを示す。他の新規な特徴は図面と連動して考慮される時、以下の詳細な説明から明白になり、および、開示された態様は全てのこの種の態様およびそれらの同等物を含むことを意図される。
【図面の簡単な説明】
【０００９】
【図１】標準コンピュータスクリーンケーシング設計（従来技術）を示す。
【図２】斜角をつけられたコンピュータスクリーンケーシング設計を示す。
【図３】封入されたコンピュータケーブルシステムを示す。
【図４】洗浄剤耐性のあるケーシング設計を例示する。
【図５】熱放散を可能にする洗浄剤耐性のあるケーシング設計を例示する。
【発明を実施するための形態】
【００１０】
添付の図面と関連して、後述の詳細な説明は、種々の構成の記述として意図されてかつ本願明細書に記載されている概念が実践されることができる唯一の構成を代表することを意図されない。詳細な説明は、種々の概念の徹底的な理解を提供するために特定の詳細を含む。しかしながら、これらの概念がこれらの具体的な詳細なしで実践されることができることは当業者に明白である。諸事例では、周知の構造体および構成要素がこの種の概念を不明瞭にすることを回避するためにブロック図形式で示される。
【００１１】
図３は、タッチスクリーン３１動作の殺菌可能コンピュータ３０が都合よく病院患者ベッドの近くに懸架されることを可能にする閉じた耐水性関節接合アームの断面図を示す。アームは、また、ケーブルがアーム構造体３２、３３の内部に沿ってかつ１つまたは多くの枢着点３５を通して壁表面まで通ることを可能にするばねまたは空圧制御セクション３２、３３から成り、そこ（壁表面）でケーブルが、電源回路３７、Ｃａｔ５のようなネットワークケーブル経由でコンピュータネットワーク３９、および患者ベッド近くの壁に取り付けられる周辺装置のコンピュータ制御を可能にする周辺コネクタ４１とインタフェースする。
【００１２】
周辺接続の例は、ＵＳＢ装置に接続するＵＳＢケーブルである。コンピュータ３０は、他の結合方式の間に電源用３６、ネットワーク用３８および周辺装置用４０の接続ポートを有し、およびこれらは、ケーブルが壁上の種々のポートでアームを通して接続することを可能にする水および洗浄剤耐性シュラウド３４内に封入される。それが患者、ヘルスワーカーおよびさらに患者の訪問客用に都合がいいように、アームがコンピュータ３０およびタッチスクリーン３１を配置するために使用される。
【００１３】
図１は、ほとんどのスクリーンおよびコンピュータケーシングが従来技術において配置される方法の断面拡大図を示す。スクリーン１０は、通常スクリーン１０の硬い表面およびコンピュータケーシング１１を隔てるガスケット１２の形状の、水および衝撃耐性クッションによってコンピュータケーシング１１に取り付けられる。従来技術のこの設計による問題は、ガスケット１２、スクリーン１０およびケーシング１１が出会う領域１３が、清掃するのが難しくかつデブリの集まりやすいことである。病院の場合、これは生命に脅威となる帰結および責任を伴う高度に危険な感染性材料の蓄積に至る可能性がある。
【００１４】
図２は、スクリーン２０、ガスケット２２およびコンピュータケーシング２１が出会う領域２３が、コンピュータケーシング２１の斜面に起因してよりアクセス可能なようにする例示の実施例の一態様を例示する。これは、洗浄機器のより簡単なアクセスおよび洗浄散布液および洗剤の浸透を可能にする。
【００１５】
殺菌可能コンピュータの他の特徴は、図４内に示されるケーシング設計である。ケーシングが図５で述べるようにヒートシンクとして使用されるので、ケーシングの最上部５１および底部５０部分が、熱が最高効率でコンピュータケーシングの１つの部分から残りまで伝達することを可能にすることが重要である。Ｏリングシーラー５４の外側５２およびＯリングシーラー５４の内側５３に対するギャップが、最大熱移動および放散を可能にするために最大の金属対金属接触を可能にしなければならない。ケーシングの外側５７からＯリングシーラーの配置５８までの距離５６は、感染性デブリがケーシングの最上部５１と底部５０部分の間に出現する任意のギャップ５２内に留まる機会を最小限にすることを確実にするためにできるだけ小さくなければならない。
【００１６】
実施態様は、また、図５にて説明するように、熱放散ケーシング設計を特徴とすることができる。感染性デブリのコンピュータ内にまたは周辺に集まる機会を回避するためにコンピュータが完全に封入されなければならないので、熱放散は殺菌可能コンピュータにとって不可欠である。ＣＰＵ６２およびＲＡＭ６３のような他の主要な熱生成構成要素が、非導電性であるが熱伝達がコンピュータのケーシング６０に対して効率的に生じることを可能にする材料を使用して、コンピュータのケーシング６０に接続される。熱は、構成要素６４から引き出されてかつケーシング６５の全体にわたって放散させることを可能にされる。
【００１７】
この設計が利点を提供することができる他の環境は歯科医外科手術、工場食品加工、税関、薬剤研究所、生物学的研究所、厨房、救急車、その他を含むことに留意される。封入されたヒートシンクシステムに対する代替物または追加物が、熱移動媒体として作用する水または他の流体による液体冷却システムを含むことができることが更に留意される。別の代替実施態様が、ＨＥＰＡフィルタを備えたファン、閉じた冷却装置システムまたは噴霧冷却の使用、などを特徴とすることができる。
【００１８】
本願明細書に記載されている実施態様の態様に従って、殺菌した環境に用いられるおよび／または所定の環境内にあることができる水および作用物質から保護される必要がある機器が提供される。再び図３を参照して、一実施態様において、外部に面した表面４５を備えるタッチスクリーン３１を有する殺菌した環境のための機器３０が示される。機器３０は、タッチスクリーン３１に動作可能なように連結される少なくとも１台のプロセッサ（例えば図５のＣＰＵ６２参照）を含むことができる。機器３０は、データを蓄積するためにこの少なくとも１台のプロセッサに連結されるメモリ（例えば図５のＲＡＭ６３参照）を含むことができる。機器３０は、この少なくとも１台のプロセッサおよびメモリを封入し、ユーザー入力を受け取るために外部に面した表面４５の入力部分４６を外側に露出されることを可能にすると共に、タッチスクリーン３１を部分的に封入し、かつ、外部に面した表面４５周辺で斜角をつけられたフレームを形成するために入力部分４６の方へテーパをつけ、この斜角をつけられたフレームが、外部に面した表面４５の覆われた部分によって少なくとも１つの防水シールを形成するように構成されるケーシング２１を含むことができる。
【００１９】
関連の態様において、機器３０はケーシング２１の斜角をつけられたフレームとタッチスクリーン３１の外部に面した表面４５の覆われた部分との間に少なくとも１枚のガスケット（例えば、図２のガスケット２２参照）を更に含むことができる。機器３０は、少なくとも１個のコネクタを収容するためのコネクタインタフェースを更に含むことができる（例えば、コネクタインタフェースは電源、ネットワーク化および周辺装置用の接続ポートであることができる）。
【００２０】
更に関連の態様において、コネクタインタフェースが、少なくとも１個のコネクタを封入するように構成される水および作用物質耐性シュラウド（図３のシュラウド３４参照）を備えた、水および作用物質耐性シールを形成することができる。水および作用物質耐性シュラウドが、タッチスクリーンの入力部分４６がユーザー定義の位置に配置されることを可能にする関節接合アームの一部分であることができる（図３の耐水性関節接合アーム参照）。
【００２１】
なお更なる関連の態様において、ケーシング２１が、ケーシング２１の第１の部分から第２の部分まで熱を伝達するヒートシンクとして機能することによって熱を放散させるように更に構成されることができる（図６のコンピュータ６０参照）。例えば、（ａ）少なくとも１台のプロセッサおよび（ｂ）メモリのうち少なくとも１つがケーシング２１への熱の伝達を容易にするために非導電材料によってケーシング２１に接続されることができる。別の例では、機器３０が液体冷却モジュール、ファンモジュール、閉じた冷却装置モジュールおよび噴霧冷却モジュールのうち少なくとも１台を更に含むことができる。
【００２２】
本願明細書に記載される実施態様の態様に従って、外部に面した表面４５を備えるタッチスクリーン装置（例えばタッチスクリーン３１）、およびケーシング２１を含むシステム（例えばコンピュータ３０）が提供される。ケーシング２１は、ユーザー入力を受け取るために外部に面した表面４５の入力部分４６を外側に露出されることを可能にすると共に、タッチスクリーン装置３１を部分的に封入するように構成されることができる。ケーシング２１はさらに、外部に面した表面４５周辺で少なくとも１つの斜角をつけられたエッジを形成するために入力部分４６の方へテーパをつけ、この少なくとも１つの斜角をつけられたエッジが、外部に面した表面４５の覆われた部分によって少なくとも１つの防水シールを形成するように構成されることができる。
【００２３】
本願明細書に記載される実施態様の態様に従って、ユーザー入力を受け取るために装置３１の入力部分４６を外側に露出されることを可能にすると共に、タッチスクリーン装置３１を部分的に封入するように構成される第１の部分を有するケーシング２１が提供される。ケーシング２１は、外部に面した表面４５周辺で少なくとも１つの斜角をつけられたエッジを形成するために入力部分４６の方へテーパをつけ、この少なくとも１つの斜角をつけられたエッジが、装置３１の覆われた部分によって少なくとも１つの防水シールを形成するように構成される第２の部分を有することができる。
【００２４】
開示の先の記述は、任意の当業者が開示をなすかまたは使用することを可能にするために提供される。開示に対する種々の変更は当業者に直ちに明らかであり、および、本願明細書に定義される一般的な原理は開示の趣旨または有効範囲から逸脱することなく、他の変形例に適用されることができる。したがって、開示は本願明細書に記載されている例および構想に限られることを意図されず、本願明細書に開示される原理および新規な特徴と整合した最も広い有効範囲を与えられることを意図される。
【符号の説明】
【００２５】
１０  スクリーン
１１  コンピュータケーシング
１２  ガスケット
１３  出会う領域
２０  スクリーン
２１  コンピュータケーシング
２２  ガスケット
２３  出会う領域
３０  殺菌可能コンピュータ  機器
３１  タッチスクリーン  タッチスクリーン装置
３２、３３  アーム構造体  ばねまたは空圧制御セクション
３４  シュラウド
３５  枢着点
３６  電源用の接続ポート
３７  電源回路
３８  ネットワーク用の接続ポート
３９  コンピュータネットワーク
４０  周辺装置用の接続ポート
４１  周辺コネクタ
４５  外部に面した表面
４６  入力部分
５０  ケーシングの底部
５１  ケーシングの最上部
５２  Ｏリングシーラーの外側  ギャップ
５３  Ｏリングシーラーの内側
５４  Ｏリングシーラー
５６  距離
５７  ケーシングの外側
５８  Ｏリングシーラーの配置
６０  ケーシング  コンピュータ
６２  ＣＰＵ
６３  ＲＡＭ
６４  構成要素
６５  ケーシング
【図１】
2013522899.tif 000003
【図２】
2013522899.tif 000004
【図３】
2013522899.tif 000005
【図４】
2013522899.tif 000006
【図５】
2013522899.tif 000007
【国際調査報告】
2013522899.tif 000008
2013522899.tif 000009